(57)【要約】【課題】バースト信号受信機におけるバースト信号の受信検出で、ノイズによるバースト信号の受信検出の誤認を迅速かつ確実に判定し、受信処理の停止や同期性検出のやり直し等の処理を速やかに行う。【解決手段】ミス検出判定回路９０では、検出後ＲＳＳＩ値保持回路９１が、受信タイミング検出回路７０がバースト信号を検出したタイミングから一定時間Ｔ経過後のＲＳＳＩ値３４０を検出後ＲＳＳＩ値Ｒ１として保持し（ステップＳ０４）、判定回路９２が、この検出後ＲＳＳＩ値Ｒ１と、ミス検出閾値回路９３に保持されているミス検出閾値ｐ１とを比較し、バースト信号検出ではなくノイズであると判定した場合には（ステップＳ０５）、ミス検出の通知３５０を制御部８０に供給する（ステップＳ０８）。【選択図】  図１
2004363723.tif 000002
【特許請求の範囲】
【請求項１】
受信信号から受信信号強度表示信号を生成するＲＳＳＩ信号生成手段と、
該ＲＳＳＩ信号生成手段から供給されるＲＳＳＩ信号に基づいて、バースト信号の受信を検出するバースト信号受信検出手段と、
該バースト信号受信検出手段によるバースト信号の受信検出により、受信信号の復調処理を開始する復調手段と
を備えているバースト信号受信機であって、
前記バースト信号受信検出手段によるバースト信号の受信検出の正誤を、前記ＲＳＳＩ信号生成手段から供給されるＲＳＳＩ信号を利用して検証するバースト信号受信検証手段と、
該バースト信号受信検証手段による検証結果が供給され、検証結果が受信検出誤りである場合には、前記復調手段によって開始されている受信信号の復調処理を停止し、新たなバースト信号の受信検出に基づく受信信号の復調処理に備えて前記復調手段をリセットするリセット手段と
を備えていることを特徴とするバースト信号受信機。
【請求項２】
前記バースト信号受信検証手段は、
前記バースト信号受信検出手段によるバースト信号の受信検出時から所定時間経過後のＲＳＳＩ信号の大きさを予め定められた検証閾値と比較し、ＲＳＳＩ信号の大きさが検証閾値よりも大きい場合は、前記バースト信号受信検出手段によるバースト信号の受信検出は正しいと判定する一方、ＲＳＳＩ信号の大きさが検証閾値以下の場合は、前記バースト信号受信検出手段によるバースト信号の受信検出は誤りと判定する
ことを特徴とする請求項１記載のバースト信号受信機。
【請求項３】
前記バースト信号受信検証手段は、
前記バースト信号受信検出手段によるバースト信号の受信検出時から所定時間経過後までのＲＳＳＩ信号の大きさ平均値を予め定められた検証閾値と比較し、ＲＳＳＩ信号の大きさ平均値が検証閾値よりも大きい場合は、前記バースト信号受信検出手段によるバースト信号の受信検出は正しいと判定する一方、ＲＳＳＩ信号の大きさ平均値が検証閾値以下の場合は、前記バースト信号受信検出手段によるバースト信号の受信検出は誤りと判定する
ことを特徴とする請求項１記載のバースト信号受信機。
【請求項４】
前記バースト信号受信検証手段は、
前記バースト信号受信検出手段によるバースト信号の受信検出後におけるＲＳＳＩ信号の大きさ変化量を算出して予め定められた検証閾値と比較し、ＲＳＳＩ信号の大きさ変化量が検証閾値よりも大きい場合は、前記バースト信号受信検出手段によるバースト信号の受信検出は正しいと判定する一方、ＲＳＳＩ信号の大きさ変化量が検証閾値以下の場合は、前記バースト信号受信検出手段によるバースト信号の受信検出は誤りと判定する
ことを特徴とする請求項１記載のバースト信号受信機。
【請求項５】
前記バースト信号受信検出手段によるバースト信号の受信検出後におけるＲＳＳＩ信号の大きさ変化量は、
前記バースト信号受信検出手段によるバースト信号の受信検出前のＲＳＳＩ信号の大きさＲ０と、前記バースト信号受信検出手段によるバースト信号の受信検出時から所定時間経過後のＲＳＳＩ信号の大きさＲ４１との差の絶対値｜Ｒ４１−Ｒ０｜である
ことを特徴とする請求項４記載のバースト信号受信機。
【請求項６】
前記バースト信号受信検出手段によるバースト信号の受信検出後におけるＲＳＳＩ信号の大きさ変化量は、
前記バースト信号受信検出手段によるバースト信号の受信検出前のＲＳＳＩ信号の大きさＲ０と、前記バースト信号受信検出手段によるバースト信号の受信検出時から所定時間経過後までのＲＳＳＩ信号の大きさ平均値Ｒ４２との差の絶対値｜Ｒ４２−Ｒ０｜である
ことを特徴とする請求項４記載のバースト信号受信機。
【発明の詳細な説明】
【０００１】
【発明の属する技術分野】
本発明は、ＲＳＳＩ信号（Ｒｅｃｅｉｖｅｄ  Ｓｉｇｎａｌ  Ｓｔｒｅｎｇｔｈ  Ｉｎｄｉｃａｔｏｒ  信号：受信信号強度表示信号）により、バースト信号の受信タイミングを検出する回路を備えたバースト信号受信機に関する。
【０００２】
【従来の技術】
従来、情報通信の需要拡大に伴い、通信システムに対しては、通信の高速化が求められている。近年、障害物が多数存在する市街地等での使用を前提とした無線システムでは、変調方式に、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  ；ＯＦＤＭ）を用いたシステムが採用されている。
【０００３】
このＯＦＤＭシステムにおけるバースト信号は、図１１に示すように、信号捕捉等を目的としたプリアンブル部と、このプリアンブル部に付随されたデータ部に大別されて構成されるのが一般的である。
【０００４】
図１１は、ＯＦＤＭシステムにおけるバースト信号の構成図である。
図１１（ａ）に示すＯＦＤＭシステムにおけるバースト信号２００の場合は、プリアンブル部２１０とデータ部２２０とから構成され、さらにプリアンブル部２１０の先頭部分には、バースト信号２００のＲＳＳＩ信号をエッジ検出するための所定データ部分２１１が備えられている形式になっている。
【０００５】
一方、図１１（ｂ）に示すＯＦＤＭシステムにおけるバースト信号２００の場合は、図１１（ａ）に示したバースト信号２００と同様に、プリアンブル部２１０とデータ部２２０とから構成されるものの、そのプリアンブル部２１０には、バースト信号２００のＲＳＳＩ信号をエッジ検出するための所定データ部分２１１を備えていない。
【０００６】
そのため、図１１（ｂ）に示すようなバースト信号２００の場合は、バースト信号２００の送信において、予め定められた送信形式で（例えば、所定周期毎に）、フレーム同期を表わす所定のバースト信号２００’を送信する形式になっている。
【０００７】
そこで、従来のバースト信号受信機としてのＯＦＤＭシステム受信機１０１の構成を図１２に示し、そのバースト信号の受信から信号復調までの動作を説明する。
【０００８】
図１２は、従来のバースト信号受信機としてのＯＦＤＭシステム受信機の構成図である。
【０００９】
従来のＯＦＤＭシステム受信機１０１では、受信されたバースト信号２００は、ＢＰＦ（Ｂａｎｄ  Ｐａｓｓ  Ｆｉｌｔｅｒ）回路１１０により帯域制限され、利用する周波数チャネルの信号が得られる。次に、ＡＧＣ（Ａｕｔｏｍａｔｉｃ  Ｇａｉｎ  Ｃｏｎｔｒｏｌ）回路１２０によりレベル変動が抑圧された後、第１のＡ／Ｄ変換回路１３０によりデジタル化され、復調部１４０で復調される。ＯＦＤＭ方式の復調部１４０では、同図に示したような代表される回路構成を用いてバースト信号の復調を行う。
【００１０】
この例では、ＩＦ（Ｉｎｔｅｒｍｅｄｉａｔｅ  Ｆｒｅｑｕｅｎｃｙ：中間周波数）領域でデジタル信号に変換される場合を示したため、そのデジタル信号は、直交復調回路１４１によってベースバンド帯域の信号に変換される。この変換されたベースバンド帯域の信号は、ＯＦＤＭシンボルの同期を取るために、相関回路１４２により、送受信間で予め既知である信号との相関がとられる。
【００１１】
ここで、相関回路１４２は、離散的な受信波形と、それと時間的に同じ分解能で図１１に示すプリアンブルの一部と同じ振幅を持つ関数とを、サンプル毎に乗じ、加算することにより構成されている。これはスペクトル拡散信号受信機等で用いられる相関器と同様の構成であり、一般的なものである。
【００１２】
このような従来のＯＦＤＭシステム受信機１０１では、相関値検出回路１４６において、相関回路１４２から出力される相関出力に対して閾値を設け、この閾値を超える相関出力が相関回路１４２から出力されるタイミングをシンボルタイミング同期回路１４７で検出する。このシンボルタイミング同期回路１４７で検出されるタイミングのうち、最も早く検出されるタイミングをシンボルタイミングとし、以下、このシンボルタイミングを基準として情報データを復調する構成になっている。
【００１３】
シンボルタイミング同期回路１４７で生成されるシンボルタイミングをもとに、ガードインターバル除去回路１４３では、各ＯＦＤＭシンボルに付加されたガードインターバルを除去してＦＦＴ（Ｆａｓｔ  Ｆｏｕｒｉｅｒ  Ｔｒａｎｓｆｏｒｍ：高速フーリエ変換）に必要となるポイントを抜き出し、ＦＦＴ回路１４４にデータを受け渡す。ＦＦＴ回路１４４では、それらガードインターバルが除去されたＯＦＤＭシンボル（すなわち、サブキャリア毎のデジタル変調波）をＦＦＴして、時間領域の信号から周波数領域の信号に復調し、そのデータを復調回路１４５に受け渡す。復調回路１４５では、ＱＰＳＫ（Ｑｕａｄｒａｔｕｒｅ  Ｐｈａｓｅ  Ｓｈｉｆｔ  Ｋｅｙｉｎｇ）等の符号化変調されたデータに対し、復調が施される。
【００１４】
このように、復調部１４０では非常に多くの信号処理を行うため、常に動作を行う場合、受信機の消費電力が問題となる。このため、バースト信号を受信する時のみ回路を動作させ、小電力化を図る必要がある。
【００１５】
そこで、一般的に、従来のＯＦＤＭシステム受信機１０１では、ＲＳＳＩ値による受信タイミングの検出が行われ、検出を通知する通知信号により復調部１４０の各回路の制御が行われている。
【００１６】
次に、従来のＯＦＤＭシステム受信機１０１における受信タイミング検出までの動作を説明する。
【００１７】
ＢＰＦ回路１１０の出力信号はＲＳＳＩ回路１５０に供給されて、受信信号のＲＳＳＩ値（ＲＳＳＩ信号のサンプル値）に変換される。ＲＳＳＩ信号は、第２のＡ／Ｄ変換回路１６０によりデジタル化されて、受信タイミング検出回路１７０に入力される。
【００１８】
受信タイミング検出回路１７０は、ガウス雑音環境において受信機１０１の雑音指数やシステム劣化等を考慮して、バースト信号を正しく復調できる最小の受信レベルを示す最小受信感度付近に設定された絶対閾値と、受信信号のＲＳＳＩ値を比較し、ＲＳＳＩ値がその絶対閾値を越えた場合に受信タイミングを検出する。受信タイミング検出回路１７０が受信タイミングを検出した場合、制御回路１８０に通知信号３１０が供給される。
【００１９】
制御回路１８０は、受信タイミング検出回路１７０から供給される受信タイミング検出の通知信号３１０をもとに、ＡＧＣ回路１２０にレベル変動を制御するための信号３２０を供給し、また、復調部１４０の回路全ての動作を開始させるための信号３３０を供給して、復調部１４０の各部の動作を開始させる。
【００２０】
図１１で説明したバースト信号２００の構成で、そのプリアンブル部分２１０は、
・アンテナダイバーシティ、
・伝搬路における電力レベルの変動を抑圧、
・送受信機間の周波数オフセットの補償、
・システムの識別、
等に必要なデータの取得に利用される。
【００２１】
ところで、プリアンブル部分（プリアンブル信号）２１０の捕捉を容易にするだけでなく、上記した様々な処理を行う際の精度を向上させるためには、プリアンブル部分２１０を長くした方が有利である。しかしながら、プリアンブル部分２１０を長くして、フレーム信号２００全体に占めるプリアンブル部分２１０の割合が大きくなると、システムの伝送効率の低下を招くことになるという問題点が発生する。
【００２２】
このため、プリアンブル部分２１０の長さは、前記目的を実現するために、必要最小限の長さとなるように、できる限り短く設定されるのが普通である。
【００２３】
このように、短いプリアンブル信号から必要なデータを取得するためには、できるだけ早期にバースト信号の受信タイミングを検出することが求められる。
【００２４】
従来、このバースト信号の受信タイミングの検出は、図１３に示すようにＲＳＳＩ信号の検出レベル（ＲＳＳＩ値）が、予め設定した絶対閾値ａを越えた時点で、バースト信号を受信したと判定するのが一般的であった。
【００２５】
図１３は、バースト信号を実際に受信した場合におけるＲＳＳＩ信号のＲＳＳＩ値の変化を示した図である。
【００２６】
【特許文献１】
特開２００３−７８４６９号公報
【００２７】
【発明が解決しようとする課題】
図１４は、ノイズによるＲＳＳＩ値の変化の一例を示した図である。
しかしながら、前記従来技術では、図１４に示すように、ＲＳＳＩ信号が滑らかに増加するノイズを受信した場合には、そのＲＳＳＩ値が絶対閾値ａを越え、正規のプリアンブル信号を受信したと誤認して、受信タイミング検出回路１７０が受信タイミング検出の通知信号（ＲＳＳＩ検出信号）３１０を出力する場合があった。そして、このノイズとプリアンブル信号との誤認は、相関回路１４２で相関値が算出されるまで判明しなかった。
【００２８】
このため、前記従来技術では、
・誤認によるＲＳＳＩ検出信号発生からその誤認が判明するまで、一定の時間と電力を消費する、
・ノイズをバースト信号と誤認して、ＲＳＳＩ検出信号を出力した場合、ＲＳＳＩ検出信号発生から相関回路１４２で誤認が確認されるまでの間は、本当のバースト信号を受信しても、先のノイズの信号処理に復調部１４０の各回路が使用され、復調ができない、
という問題が発生した。
【００２９】
また、ＡＧＣ回路１２０は最小受信感度にマージンを含めた動作範囲で設計されるため、数ｄＢ程度の低Ｃ／Ｎ（Ｃａｒｒｉｅｒ  ｔｏ  Ｎｏｉｓｅ  ｒａｔｉｏ：信号対雑音比）で要求性能を満足するような伝送レートを含むシステムでは、最小受信感度以下のレベルのノイズ信号も大きく増幅してしまう。このような場合、ＡＧＣ回路１２０以降では電力値による信号と雑音の区別が不可能となる。
【００３０】
したがって、波形の相関性のみを検出する相関値検出回路１４６では、
・受信電力の低いガウス雑音であるにも関わらず、一定の確率で絶対閾値ａを越える相関値が観測され、受信動作が継続される、
という問題も発生する。
【００３１】
本発明は、上記問題点に鑑み、
・ノイズ、ＲＳＳＩ信号の識別は、バースト信号の受信検出の通知後も、ＲＳＳＩ値の変化を継続して観測し、ＲＳＳＩ値が一定の定常値以上で安定しない場合は、前記バースト信号の受信検出がノイズの誤認であると判定する、
・ノイズ、ＲＳＳＩ信号の誤認が判明した場合には、誤認に基づく相関回路、及び次段以降の回路の動作タイミングを指定するシンボルタイミング同期回路まで信号処理をリセットして、新たなバースト信号の受信検出を可能とする、
ことで、前記３つの問題点を解決するバースト信号受信機を提供することを目的としている。
【００３２】
【課題を解決するための手段】
上記目的を達成するために、本発明のバースト信号受信機は、受信信号から受信信号強度表示信号を生成するＲＳＳＩ信号生成手段と、該ＲＳＳＩ信号生成手段から供給されるＲＳＳＩ信号に基づいて、バースト信号の受信を検出するバースト信号受信検出手段と、該バースト信号受信検出手段によるバースト信号の受信検出により、受信信号の復調処理を開始する復調手段とを備えているバースト信号受信機であって、前記バースト信号受信検出手段によるバースト信号の受信検出の正誤を、前記ＲＳＳＩ信号生成手段から供給されるＲＳＳＩ信号を利用して検証するバースト信号受信検証手段と、該バースト信号受信検証手段による検証結果が供給され、検証結果が受信検出誤りである場合には、前記復調手段によって開始されている受信信号の復調処理を停止し、新たなバースト信号の受信検出に基づく受信信号の復調処理に備えて前記復調手段をリセットするリセット手段とを備えていることを特徴とする。
【００３３】
これにより、バースト信号受信検出手段によるバースト信号の受信検出の通知後も、バースト信号受信検証手段によってＲＳＳＩ値の変化を継続して観測することができる。その上で、例えば、通知後、一定時間経過した後に、ＲＳＳＩ信号生成手段から供給されるＲＳＳＩ信号の大きさ（ＲＳＳＩ値）が一定の閾値以下となっていた場合には、前記バースト信号受信検出手段によるバースト信号の受信検出がノイズの誤認によるものであると、バースト信号受信検証手段が判定する。
【００３４】
そして、ノイズ、バースト信号の誤認が判明した場合には、リセット手段が、誤認に基づく相関回路まで、及び次段以降の回路の動作タイミングを指定するシンボルタイミング同期回路までの信号処理を、新たなバースト信号入力への対応が可能な初期状態に戻す。
【００３５】
【発明の実施の形態】
以下、添付図面を参照しながら本発明の好適な実施の形態について詳細に説明する。
＜第１の実施の形態＞
図１は、本発明のバースト信号受信機に係り、第１の実施の形態としてのＯＦＤＭシステム受信機の構成図である。
【００３６】
ＯＦＤＭシステム受信機１−１は、ＢＰＦ回路１０，ＡＧＣ回路２０，第１のＡ／Ｄ変換回路３０，復調部４０を備えている。そして、復調部４０は、直交復調回路４１，相関回路４２，ガードインターバル除去回路４３，ＦＦＴ回路４４，復調回路４５，相関値検出回路４６，シンボルタイミング同期回路４７を備えている。
【００３７】
また、ＯＦＤＭシステム受信機１−１は、ＲＳＳＩ回路５０，第２のＡ／Ｄ変換回路６０，受信タイミング検出回路７０，制御回路８０，ミス検出判定回路９０−１を備えている。
【００３８】
ここで、ＲＳＳＩ回路５０は、ＢＰＦ回路１０の出力信号が供給され、ＢＰＦ回路１０の出力信号を受信信号のＲＳＳＩ値（ＲＳＳＩ信号のサンプル値）に変換する。ＲＳＳＩ回路５０によって変換されたＲＳＳＩ値は、第２のＡ／Ｄ変換回路６０によりデジタル化される。
【００３９】
そして、第２のＡ／Ｄ変換回路６０を介してデジタル化されたＲＳＳＩ値は、図１４に基づき説明した従来のＯＦＤＭシステム受信機１０１の場合と異なり、受信タイミング検出回路７０に供給されるだけではなく、ミス検出判定回路９０−１にも供給される構成になっている。
【００４０】
受信タイミング検出回路７０は、従来のＯＦＤＭシステム受信機１０１の場合と同様に、ガウス雑音環境において受信機１−１の雑音指数やシステム劣化等を考慮して、バースト信号を正しく復調できる最小の受信レベルを示す最小受信感度付近に設定された絶対閾値ａと、第２のＡ／Ｄ変換回路６０によってデジタル化された受信信号のＲＳＳＩ値３４０とを比較し、ＲＳＳＩ値３４０がその絶対閾値ａを越えた場合に受信タイミングを検出する。
【００４１】
そして、受信タイミング検出回路７０は、上記のようにしてバースト信号の受信タイミングを検出すると、従来のＯＦＤＭシステム受信機１０１の場合と同様に、受信タイミング検出の通知信号３１０を制御回路８０に供給するとともに、ミス検出判定回路９０−１にも供給する。
【００４２】
制御回路８０は、受信タイミング検出回路７０から供給される受信タイミング検出の通知信号３１０をもとに、ＡＧＣ回路２０にレベル変動を制御するための信号３２０を供給する。
【００４３】
また、制御回路８０は、復調部４０に対して、その直交復調回路４１，相関回路４２，相関値検出回路４６，シンボルタイミング同期回路４７それぞれの動作を開始させるための信号３３０を供給して、復調部４０各部の動作を開始させる。
【００４４】
一方、ミス検出判定回路９０−１は、受信タイミング検出回路７０からの受信タイミング検出の通知信号３１０と、第２のＡ／Ｄ変換回路６０を介してデジタル化されたＲＳＳＩ値（ＲＳＳＩ信号）３４０とが供給され、受信タイミング検出回路７０による受信タイミングの検出に誤りがあるか否かを判定（検証）する。
【００４５】
そして、ミス検出判定回路９０−１は、受信タイミング検出回路７０から供給された受信タイミング検出の通知信号３１０のもとになった受信タイミング検出に誤りがある場合には、ミス検出の通知３５０を制御回路８０に出力する。
【００４６】
制御回路８０は、ミス検出判定回路９０−１からミス検出の通知３５０が供給された場合には、前述の受信タイミング検出回路７０から供給された受信タイミング検出の通知信号３１０をもとに動作開始させた復調部４０各部の動作を停止させ、リセットする。
【００４７】
次に、本実施の形態によるＯＦＤＭシステム受信機１−１における、ミス検出判定回路９０−１の詳細について説明する。
【００４８】
本実施の形態のミス検出判定回路９０−１は、前述の図１１（ａ）に示すようなフレーム同期を表す信号がない場合のバースト信号を受信する場合に適用される。
【００４９】
図２は、本実施の形態によるＯＦＤＭシステム受信機おけるミス検出判定回路の構成図である。
図２において、ミス検出判定回路９０−１は、検出後ＲＳＳＩ値保持回路９１，判定回路９２，ミス検出閾値回路９３を備えて構成されている。
【００５０】
検出後ＲＳＳＩ値保持回路９１には、受信タイミング検出回路７０からは受信タイミング検出の通知信号３１０が、第２のＡ／Ｄ変換回路６０からはデジタル化されたＲＳＳＩ値（ＲＳＳＩ信号）３４０がそれぞれ供給される。
【００５１】
検出後ＲＳＳＩ値保持回路９１は、受信タイミング検出の通知信号３１０が供給されてから所定時間後の、第２のＡ／Ｄ変換回路６０からのデジタル化されたＲＳＳＩ値３４０を保持し、この保持したＲＳＳＩ値３４０を、検出後ＲＳＳＩ値Ｒ１として判定回路９２に供給する。
【００５２】
判定回路９２は、検出後ＲＳＳＩ値保持回路９１によって保持されている検出後ＲＳＳＩ値Ｒ１を、ミス検出閾値回路９３に予め設定されて保持されているミス検出閾値（検証閾値）ｐ１と比較することにより、その比較結果に基づいて、受信タイミング検出回路７０から供給された受信タイミング検出の通知信号３１０のもととなった受信タイミング検出に誤りがあるか否かを判定する。
【００５３】
そして、判定回路９２は、受信タイミング検出回路７０による受信タイミング検出に誤りがある場合は、ミス検出の通知３５０を制御回路８０に出力する構成になっている。
【００５４】
このミス検出の通知３５０を供給された制御回路８０は、復調部４０による受信処理の停止や同期性検出のやり直し等の処理を行う構成になっている。
【００５５】
次に、上述した本実施の形態におけるミス検出判定回路９０−１の作用について、図３により説明する。
【００５６】
図３は、本実施の形態における受信タイミング検出回路による受信タイミング検出と、ミス検出判定回路による受信タイミング検出の誤り判定との関係説明図である。
【００５７】
図３では、バースト信号のＲＳＳＩ値の立ち上がり間隔が既知で、受信タイミング検出回路７０及びミス検出判定回路９０−１によるバースト信号のＲＳＳＩ値サンプリングタイミングの時間間隔を△ｔとした場合、△ｔがおおよそ
△ｔ＝１／２×バースト信号の立ち上がり間隔
で表される場合を例に、両者の関係が説明されている。
【００５８】
図３（ａ）は、受信タイミング検出回路７０から供給された受信タイミング検出の通知信号３１０のもととなる受信タイミング検出に誤りがない場合の、受信タイミング検出回路７０による受信タイミング検出と、ミス検出判定回路９０−１による受信タイミング検出の誤り判定との関係を示したものである。
【００５９】
この場合、受信タイミング検出回路７０によるバースト信号検出後のＲＳＳＩ値３４０は、ミス検出閾値回路９３に保持されているミス検出閾値ｐ１よりも、予め定められた時間Ｔが経過しても、高くなっている。
【００６０】
本実施の形態のミス検出判定回路９０−１は、ＲＳＳＩ値３４０が絶対閾値ａを超えた受信タイミング検出回路７０によるバースト信号検出後、時間Ｔ経過後のＲＳＳＩ値３４０がミス検出閾値ｐ１よりも高い場合は、実際のバースト信号の受信検出であると判定する構成になっている。
【００６１】
図３（ｂ）は、受信タイミング検出回路７０から供給された受信タイミング検出の通知信号３１０のもととなる受信タイミング検出に誤りがある場合の、受信タイミング検出回路７０による受信タイミング検出と、ミス検出判定回路９０−１による受信タイミング検出の誤り判定との関係を示したものである。
【００６２】
この場合、受信タイミング検出回路７０によるバースト信号検出後のＲＳＳＩ値３４０は、ミス検出閾値回路９３に保持されているミス検出閾値ｐ１を一旦は超えるものの、ミス検出閾値ｐ１を超えた状態で安定せず、ミス検出閾値ｐ１よりも低くなってしまう。
【００６３】
そのために、検出後ＲＳＳＩ値保持回路９１は、受信タイミング検出の通知信号３１０が供給されてから時間Ｔ経過後のＲＳＳＩ値３４０を保持し、これを検出後ＲＳＳＩ値Ｒ１として判定回路９２に供給する構成になっている。
【００６４】
したがって、ミス検出判定回路９０−１は、ＲＳＳＩ値３４０が絶対閾値ａを超えた受信タイミング検出回路７０によるバースト信号検出後、この予め定められた時間Ｔ内に、ミス検出閾値ｐ１よりも低くなった場合には、実際のバースト信号の受信検出ではないと判定し、ミス検出の通知３５０を制御回路８０に出力する構成になっている。
【００６５】
次に、本実施の形態によるＯＦＤＭシステム受信機１−１の制御構成について、図４により説明する。
【００６６】
本説明では、ミス検出閾値回路９３に予め設定されて保持されているミス検出閾値ｐ１は、受信タイミング検出回路７０の絶対閾値ａと同じ大きさの値となっているものとして説明する。
【００６７】
図４は、本実施の形態によるＯＦＤＭシステム受信機の制御手順を示したフローチャートである。
【００６８】
ＯＦＤＭシステム受信機１−１は、図１に示す受信タイミング検出回路７０により、バースト信号の受信タイミング検出を行う（ステップＳ０１）。
【００６９】
この受信タイミング検出回路７０では、ＲＳＳＩ値３４０のサンプル値と絶対閾値ａ（ただし、ａ＞０）とを比較し、ＲＳＳＩ値３４０のサンプル値が絶対閾値ａを越えた場合にバースト信号を検出したと判定する（ステップＳ０２）。
【００７０】
受信タイミング検出回路７０は、ステップＳ０２でバースト信号を検出したと判定すると、それが実際のバースト信号によるものであるか、ノイズによるものであるかに関係なく、早期にバースト信号の検出通知３１０を制御回路８０に出力する（ステップＳ０３）。
【００７１】
制御回路８０は、受信タイミング検出回路７０からのバースト信号の検出通知３１０が供給されると、ＡＧＣ回路２０にレベル変動を制御するための信号３２０を供給する。また、制御回路８０は、復調部４０に、動作もしくは停止を指示する信号３３０の中、動作を指示する信号を供給し、復調部４０に含まれる直交復調回路４１、相関回路４２、相関値検出回路４６、及びシンボルタイミング同期回路４７の動作を開始させる。
【００７２】
復調部４０では、この動作開始後、シンボルタイミング同期回路４７において、次段以降の回路の動作タイミングが確定すると、ガードインターバル除去回路４３、ＦＦＴ回路４４、および復調回路４５が動作を開始する。
【００７３】
一方、ステップＳ０２で、受信タイミング検出回路７０がバースト信号を検出したと判定した後、ミス検出判定回路９０−１により、ノイズとバースト信号の判別（検証）が行われる。
【００７４】
図３に示すように、ミス検出判定回路９０−１は、受信タイミング検出回路７０がバースト信号を検出したタイミングから一定時間Ｔ後のＲＳＳＩ値３４０を、その検出後ＲＳＳＩ値保持回路９１により検出後ＲＳＳＩ値Ｒ１として保持する（ステップＳ０４）。
【００７５】
これにより、ミス検出判定回路９０−１では、その判定回路９２が、この検出後ＲＳＳＩ値保持回路９１に保持された検出後ＲＳＳＩ値Ｒ１と、ミス検出閾値回路９３に保持されているミス検出閾値ｐ１とを比較する。
【００７６】
この結果、図３（ａ）に示すように、検出後ＲＳＳＩ値Ｒ１がミス検出閾値ｐ１よりも高い（大きい）場合は、判定回路９２は、受信タイミング検出回路７０が受信タイミング検出したのは実際のバースト信号に誤りないと判定し（ステップＳ０５）、ミス検出の通知３５０を制御部８０に供給しない。
【００７７】
したがって、復調部４０は、前述のステップＳ０３の処理によって開始された受信動作を継続し（ステップＳ０６）、ミス検出判定回路９０−１は、受信タイミング検出回路７０によって受信タイミング検出されたバースト信号の受信判定を完了する（ステップＳ０７）。
【００７８】
これに対し、図３（ｂ）に示すように、この検出後ＲＳＳＩ値保持回路９１が保持した検出後ＲＳＳＩ値Ｒ１が、ミス検出閾値回路９３に保持されているミス検出閾値ｐ１よりも低い（小さい）場合、判定回路９２は、受信タイミング検出回路７０が検出したのは実際のバースト信号ではなくノイズであると判定し（ステップＳ０５）、判定回路９２は、ミス検出の通知３５０を制御部８０に供給する（ステップＳ０８）。
【００７９】
これにより、制御回路８０は、この判定回路９２からのミス検出の通知３５０により、ステップＳ０３の処理によって受信動作が開始されている復調部４０に、動作もしくは停止を指示する信号３３０の中、停止を指示する信号を供給し、復調部４０に含まれる直交復調回路４１、相関回路４２、相関値検出回路４６、及びシンボルタイミング同期回路４７の動作を停止させる。なお、この動作もしくは停止を指示する信号３３０で、例えば復調部４０全ての動作を停止させてもよい。
そして、制御回路８０は、バースト信号の同期性検出のやり直し等の処理を行う。
【００８０】
これにより、本実施の形態のバースト信号受信機としてのＯＦＤＭシステム受信機１−１によれば、受信タイミング検出回路７０がバースト信号を検出した場合、それが実際のバースト信号によるものであるならば、速やかに遅滞無く復調部４０による復調動作が行い得、それが実際のバースト信号によるものでなくノイズによるものであるならば、復調部４０の相関回路４２で誤認が確認される前に、受信処理の停止や同期性検出のやり直し等の処理を速やかに行うことができる。この結果、復調部４０の相関回路４２で誤認が判明するまで一定の時間とその間の無駄な電力消費を防ぐことができる。
【００８１】
なお、本実施の形態のバースト信号受信機としてのＯＦＤＭシステム受信機１−１は以上のように構成され、ミス検出閾値回路９３に予め設定されて保持されているミス検出閾値ｐ１は、受信タイミング検出回路７０の絶対閾値ａと同じ大きさの値となっているものとして説明した。しかし、実際のバースト信号検出時の検出後ＲＳＳＩ値Ｒ１が、受信タイミング検出回路７０の絶対閾値ａよりも僅かながら小さくなってしまう場合も考えられる。
【００８２】
このような場合には、ミス検出閾値回路９３に予め設定されて保持されているミス検出閾値ｐ１が、受信タイミング検出回路７０の絶対閾値ａと同じ値になっていると、実際のバースト信号を受信していても、判定回路９２はノイズであると判定してしまう。
【００８３】
そこで、図３（ｃ）に示すように、バースト信号検出後、検出後ＲＳＳＩ値Ｒ１が受信タイミング検出回路７０の絶対閾値ａよりも僅かながら小さくなってしまう場合には、ミス検出閾値回路９３に予め設定されて保持されているミス検出閾値ｐ１として絶対閾値ａ以下の値ｂを採用し（ａ≧ｂ）、このミス検出閾値ｐ１（＝ｂ）をもとにしてミス検出の通知を行うことも可能である。
【００８４】
さらに、本実施の形態のバースト信号受信機としてのＯＦＤＭシステム受信機１−１においては、検出後ＲＳＳＩ値保持回路９１が、受信タイミング検出回路７０がバースト信号を検出したタイミングから一定時間Ｔ経過後のＲＳＳＩ値３４０を検出後ＲＳＳＩ値Ｒ１として保持し（ステップＳ０４）、判定回路９２が、この検出後ＲＳＳＩ値Ｒ１と、ミス検出閾値回路９３に保持されているミス検出閾値ｐ１とを比較し、バースト信号検出ではなくノイズであると判定した場合には（ステップＳ０５）、ミス検出の通知３５０を制御部８０に供給する構成となっている（ステップＳ０８）。
【００８５】
このミス検出判定回路９０−１の構成についても、例えば、検出後ＲＳＳＩ値保持回路９１は、タイミング検出回路７０がバースト信号を検出したタイミングから一定時間Ｔの間、サンプリングタイミング△ｔの経過毎にＲＳＳＩ値３４０を検出して検出後ＲＳＳＩ値Ｒ１として保持し、判定回路９２は、このサンプリングタイミング△ｔの経過毎に、検出後ＲＳＳＩ値保持回路９１に保持された検出後ＲＳＳＩ値Ｒ１と、ミス検出閾値回路９３に保持されているミス検出閾値ｐ１とを比較し、バースト信号検出ではなくノイズであると判定した場合は、一定時間Ｔ経過前であっても、ミス検出の通知３５０を制御部８０に供給する構成にすることも可能である。
【００８６】
＜第２の実施の形態＞
本発明のバースト信号受信機に係り、第２の実施の形態としてのＯＦＤＭシステム受信機１−２について説明する。
【００８７】
本実施の形態によるＯＦＤＭシステム受信機１−２は、前述の図１１（ｂ）に示すようなフレーム同期を表す信号がある場合のＯＦＤＭシステムにおけるバースト信号を受信する場合に適用される。
【００８８】
図５は、本実施の形態のバースト信号受信機としてのＯＦＤＭシステム受信機の一部省略構成図である。
【００８９】
本実施の形態のＯＦＤＭシステム受信機１−２では、フレーム同期を表す信号がある場合のバースト信号を受信するため、相関値検出回路４６及びシンボルタイミング同期回路４７は、数フレームのバースト信号を使用してバースト信号のフレーム同期を確認する。そして、フレーム同期に失敗した場合は、シンボルタイミング同期回路４７は、同期失敗を示す信号３６０を制御回路８０に通知する構成となっている。その余の構成については、図１に示したＯＦＤＭシステム受信機１−１の構成と同一又は同様であるので、同一又は同様部分については同一符号を用い、図５においては、その構成の図示を一部省略してある。
【００９０】
本実施の形態のＯＦＤＭシステム受信機１−２では、相関値検出回路４６及びシンボルタイミング同期回路４７がフレーム同期に失敗した場合は、シンボルタイミング同期回路４７から同期失敗を示す信号３６０が制御回路８０に通知され、制御回路８０は動作又は停止を指示する信号３３０の中、停止を指示する信号を復調部４０に供給し、復調部４０に含まれる直交復調回路４１、相関回路４２、相関値検出回路４６、及びシンボルタイミング同期回路４７の動作を停止させる。
【００９１】
したがって、相関値検出回路４６及びシンボルタイミング同期回路４７によってフレーム同期が確認できるまでには、バースト信号の何フレームかが無駄に費やされてしまう。
【００９２】
そこで、本実施の形態のＯＦＤＭシステム受信機１−２も、第１の実施の形態のＯＦＤＭシステム受信機１−１のミス検出判定回路９０−１と同様に、ミス検出判定回路９０−２によって、図４に示したようにして、検出後ＲＳＳＩ値保持回路９１が、タイミング検出回路７０がバースト信号を検出したタイミングから一定時間Ｔ後のＲＳＳＩ値３４０を検出後ＲＳＳＩ値Ｒ２として保持し（ステップＳ０４）、判定回路９２が、この検出後ＲＳＳＩ値保持回路９１に保持された検出後ＲＳＳＩ値Ｒ２と、ミス検出閾値回路９３に保持されているミス検出閾値ｐ２とを比較して、バースト信号検出ではなくノイズであると判定した場合には（ステップＳ０５）、ミス検出の通知３５０を制御部８０に供給する構成になっている。
【００９３】
これにより、ミス検出判定回路９０−２によりバースト信号の受信検出ミスが判定された場合には、図５に示すように、制御回路８０は、ミス検出判定回路９０−２から受信検出ミスの通知３５０を受けるとすぐに、制御回路８０は、動作叉は停止を指示する信号３３０の中、停止を指示する信号を復調部４０に供給することにより、前述した各部の停止を指示する。なお、この動作叉は停止を指示する信号３３０で、例えば復調部４０全ての動作を停止させてもよい。
【００９４】
この結果、制御回路８０は、復調部４０の相関値検出回路４６及びシンボルタイミング同期回路４７による上述したフレーム同期性検出のやり直しを行い、後続フレームのフレーム同期信号を待つことなく、速やかにフレーム同期性検出のやり直しを行うことができる。
【００９５】
＜第３の実施の形態＞
本発明のバースト信号受信機に係り、第３の実施の形態としてのＯＦＤＭシステム受信機１−３について説明する。
【００９６】
図６は、本実施の形態のバースト信号受信機としてのＯＦＤＭシステム受信機の一部省略構成図である。
【００９７】
なお、本実施の形態によるＯＦＤＭシステム受信機１−３の構成については、先に説明した図１及び図５に示した第１，第２の実施の形態のＯＦＤＭシステム受信機１−１，１−２と、ミス検出判定回路９０−３以外の構成ついては同様又は同一であるため、ここでは、本実施の形態のＯＦＤＭシステム受信機１−３におけるミス検出判定回路９０−３の構成について説明する。
【００９８】
本実施の形態によるＯＦＤＭシステム受信機１−３のミス検出判定回路９０−３は、検出後ＲＳＳＩ値平均回路９４，判定回路９２，ミス検出閾値回路９３を備えて構成されている。
【００９９】
検出後ＲＳＳＩ値平均回路９４には、受信タイミング検出回路７０からは受信タイミング検出の通知信号３１０が、第２のＡ／Ｄ変換回路６０からはデジタル化されたＲＳＳＩ値（ＲＳＳＩ信号）３４０がそれぞれ供給される。
【０１００】
検出後ＲＳＳＩ値平均回路９４は、受信タイミング検出の通知信号３１０が供給されてから所定時間Ｔの間における第２のＡ／Ｄ変換回路６０から供給されるデジタル化されたＲＳＳＩ値３４０の平均値を演算し、この演算したＲＳＳＩ値の平均値を検出後ＲＳＳＩ値平均Ｒ３として判定回路９２に供給する。
【０１０１】
判定回路９２は、検出後ＲＳＳＩ値保持回路９４によって保持されている検出後ＲＳＳＩ値平均Ｒ３を、ミス検出閾値回路９３に予め設定されて保持されているミス検出閾値ｐ３と比較することにより、その比較結果に基づいて、受信タイミング検出回路７０から供給された受信タイミング検出の通知３１０のもととなる受信タイミング検出に誤りがあるか否かを判定する。
【０１０２】
そして、判定回路９２は、受信タイミング検出回路７０による受信タイミング検出に誤りがある場合は、ミス検出の通知３５０を制御回路８０に出力する構成になっている。
【０１０３】
このミス検出の通知３５０を供給された制御回路８０は、復調部４０による受信処理の停止や同期性検出のやり直し等の処理を行う構成になっている。
【０１０４】
これにより、バースト信号検出後の検出後ＲＳＳＩ値平均Ｒ３がミス検出閾値ｐ３よりも高い場合は、バースト信号であると判定し、復調部４０による受信動作を継続する一方、この検出後ＲＳＳＩ値平均Ｒ３がミス検出閾値ｐ３以下の場合は、動作叉は停止を指示する信号３５０の中、停止を指示する信号を復調部４０に供給して、復調部４０による受信処理の停止や同期性検出のやり直し等の処理を行う。
【０１０５】
＜第４の実施の形態＞
本発明のバースト信号受信機に係り、第４の実施の形態としてのＯＦＤＭシステム受信機１−４について説明する。
【０１０６】
図７は、本実施の形態のバースト信号受信機としてのＯＦＤＭシステム受信機の一部省略構成図である。
【０１０７】
なお、本実施の形態によるＯＦＤＭシステム受信機１−４の構成は、受信タイミング検出回路７０’，ミス検出判定回路９０−４以外の構成ついては、第１〜第３の実施の形態のＯＦＤＭシステム受信機１−１，１−２，１−３と同様又は同一であるため、ここでは、本実施の形態のＯＦＤＭシステム受信機１−４における受信タイミング検出回路７０’，ミス検出判定回路９０−４の構成について説明する。
【０１０８】
本実施の形態における受信タイミング検出回路７０’は、第１〜第３の実施の形態における受信タイミング検出回路７０の場合のように、図１３に示したＲＳＳＩ信号の検出レベル（ＲＳＳＩ値）が絶対閾値ａを越えたか否かで、バースト信号の受信を判定するのに代えて、ＲＳＳＩ信号の検出レベル（ＲＳＳＩ値）の変化量（変化率）が相対閾値ｒを上回っているか否かで、バースト信号の受信タイミング検出を行う構成になっている。
【０１０９】
図８は、本実施の形態における受信タイミング検出回路によるバースト信号の受信タイミング検出の説明図である。
【０１１０】
受信タイミング検出回路７０’は、バースト信号のＲＳＳＩ値の立ち上がり間隔にもとにして定められた、現在のサンプリングタイミングｔ１よりも数サンプル前までの所定サンプリング期間ＢＴにおけるＲＳＳＩ値平均Ｒ０と、現在のサンプリングタイミングｔ１のＲＳＳＩサンプル値Ｒ４１との差｜Ｒ４１−Ｒ０｜を求める変化量算出手段と、この変化量算出手段によって算出した差｜Ｒ４１−Ｒ０｜を予め定められた相対閾値ｒ（ｒ＞０）と比較し、この比較結果に基づいて受信タイミングの検出を行う検出判定手段とを備えて構成されている。
【０１１１】
図８（ａ）は、バースト信号を受信した場合のＲＳＳＩ値の変化を示し、図８（ｂ）は、ノイズを受信した場合のＲＳＳＩ値の変化を示した図である。
【０１１２】
受信タイミング検出回路７０’は、バースト信号を受信した場合も、ノイズを受信した場合も、差｜Ｒ４１−Ｒ０｜がバースト信号検出の相対閾値ｒよりも大きく、受信タイミング検出回路７０’は、バースト信号の受信を検出したと判定する。
【０１１３】
なお、図８に示した例では、受信タイミング検出回路７０’は、まず、現在のサンプリングタイミングｔ１におけるＲＳＳＩ値Ｒ４１と、この現在のサンプリングタイミングｔ１よりも２サンプル前までのＲＳＳＩ平均値Ｒ０との差｜Ｒ４１−Ｒ０｜を算出し、これを相対閾値ｒと比較する。そして、差｜Ｒ４１−Ｒ０｜が相対閾値ｒよりも大きい場合は、次のサンプリングタイミングｔ２において、現在のサンプリングタイミングｔ２におけるＲＳＳＩ値Ｒ４２と、この現在のサンプリングタイミングｔ２よりも３サンプル前までのＲＳＳＩ平均値Ｒ０との差｜Ｒ４２−Ｒ０｜を算出し、この差｜Ｒ４２−Ｒ０｜を相対閾値ｒと比較する。そして、差｜Ｒ４２−Ｒ０｜も相対閾値ｒよりも大きい場合は、バースト信号の受信を検出したと判定する構成になっている。受信タイミング検出回路７０’は、このようにしてバースト信号の受信を検出すると、受信タイミング検出の通知信号３１０をミス検出判定回路９０−４に供給する。
【０１１４】
次に、このミス検出判定回路９０−４の構成について、図７により説明する。ミス検出判定回路９０−４は、検出後ＲＳＳＩ値保持回路９１，判定回路９２，ミス検出閾値回路９３に加えて、減算回路９５を備えて構成されている。
【０１１５】
検出後ＲＳＳＩ値保持回路９１には、受信タイミング検出回路７０’からは受信タイミング検出の通知信号３１０が、第２のＡ／Ｄ変換回路６０からはデジタル化されたＲＳＳＩ値（ＲＳＳＩ信号）３４０がそれぞれ供給される。
【０１１６】
検出後ＲＳＳＩ値保持回路９１は、受信タイミング検出の通知信号３１０が供給されてから所定時間Ｔ経過後の、第２のＡ／Ｄ変換回路６０からのデジタル化されたＲＳＳＩ値３４０を保持し、この保持したＲＳＳＩ値３４０を検出後ＲＳＳＩ値Ｒ１として減算回路９５に供給する。
【０１１７】
減算回路９５では、検出後ＲＳＳＩ値保持回路９１から検出後ＲＳＳＩ値Ｒ１と、受信タイミング検出回路７０’からＲＳＳＩ平均値Ｒ０とが供給され、両者の差｜Ｒ１‐Ｒ０｜が演算される。
【０１１８】
ここで、この差｜Ｒ１‐Ｒ０｜は、受信タイミング検出回路７０’が受信タイミング検出した際の、その検出時を含む所定時間Ｔ’の間におけるＲＳＳＩ信号のＲＳＳＩ値の変化量Ｒ４に対応する。すなわち、この場合、所定時間Ｔ’は、前述した受信タイミング検出回路７０’による数サンプル（３サンプル）のサンプル周期と、検出後ＲＳＳＩ値保持回路９１による所定時間Ｔとの合計で定まる一定時間である。そして、この減算回路９５により算出された差Ｒ４（＝｜Ｒ１‐Ｒ０｜）は、判定回路９２に供給される。
【０１１９】
そして、判定回路９２は、この減算回路９５により算出された差Ｒ４を、ミス検出閾値回路９３に予め設定されて保持されているミス検出閾値（検証閾値）ｐ４と比較することにより、その比較結果に基づいて、受信タイミング検出回路７０’から供給された受信タイミング検出の通知信号３１０のもととなった受信タイミング検出に誤りがあるか否かを判定する。
【０１２０】
なお、本説明では、ミス検出閾値回路９３に予め設定されて保持されているミス検出閾値ｐ４は、受信タイミング検出回路７０の相対閾値ｒと同じ大きさの値となっているものとして説明する。
【０１２１】
次に、上述した本実施の形態におけるミス検出判定回路９０−４の作用について、図９により説明する。
図９は、本実施の形態における受信タイミング検出回路による受信タイミング検出と、ミス検出判定回路による受信タイミング検出の誤り判定との関係説明図である。
【０１２２】
図９（ａ）は、受信タイミング検出回路７０’から供給された受信タイミング検出の通知信号３１０のもととなる受信タイミング検出に誤りがない場合の、受信タイミング検出回路７０’による受信タイミング検出と、ミス検出判定回路９０−４による受信タイミング検出の誤り判定との関係を示したものである。
【０１２３】
図９（ｂ）は、受信タイミング検出回路７０’から供給された受信タイミング検出の通知信号３１０のもととなる受信タイミング検出に誤りがある場合の、受信タイミング検出回路７０’による受信タイミング検出と、ミス検出判定回路９０−４による受信タイミング検出の誤り判定との関係を示したものである。
【０１２４】
図９（ａ）に示すように、判定回路９２は、この減算回路９５により算出された差Ｒ４がミス検出閾値ｐ４（＝ｒ）より高い場合は、バースト信号であると判定し、受信タイミング検出回路７０’からの受信タイミング検出の通知信号３１０の供給によって作動開始されている復調部４０による受信動作を継続する。
【０１２５】
また、図９（ｂ）に示すように、判定回路９２は、この減算回路９５により算出された差Ｒ４がミス検出閾値ｐ４以下の場合は、バースト信号の検出ミスであると判定し、ミス検出の通知３５０を、図７においては図示省略した制御回路８０に出力する構成になっている。
【０１２６】
この結果、ミス検出の通知３５０を供給された制御回路８０は、復調部４０による受信処理の停止や同期性検出のやり直し等の処理を行う。
【０１２７】
なお、本実施の形態のバースト信号受信機としてのＯＦＤＭシステム受信機１−４は以上のように構成され、ミス検出閾値回路９３に予め設定されて保持されているミス検出閾値ｐ４は、受信タイミング検出回路７０’の相対閾値ｒと同じ大きさの値になっているものとして説明した。
【０１２８】
このミス検出閾値ｐ４の値については、図９（ｃ）に示すように、バースト信号検出後、ＲＳＳＩ値３４０が受信タイミング検出回路７０’の相対閾値ｒよりも僅かながら小さくなってしまう場合には、ミス検出閾値回路９３に予め設定されて保持されているミス検出閾値ｐ４として相対閾値ｒ以下の値ｓを採用し（ｒ≧ｓ）、このミス検出閾値ｐ４（＝ｓ）をもとにしてミス検出の通知を行うことも可能である。
【０１２９】
＜第５の実施の形態＞
本発明のバースト信号受信機に係り、第５の実施の形態としてのＯＦＤＭシステム受信機１−５について説明する。
【０１３０】
図１０は、本実施の形態のバースト信号受信機としてのＯＦＤＭシステム受信機の一部省略構成図である。
【０１３１】
なお、本実施の形態によるＯＦＤＭシステム受信機１−５の構成は、ミス検出判定回路９０−５以外の構成ついては、第４の実施の形態のＯＦＤＭシステム受信機１−４と同様又は同一であるため、ここでは、本実施の形態のＯＦＤＭシステム受信機１−５におけるミス検出判定回路９０−５の構成について説明する。
【０１３２】
ミス検出判定回路９０−５は、検出後ＲＳＳＩ値平均回路９４，判定回路９２，ミス検出閾値回路９３に加えて、減算回路９５を備えて構成されている。
【０１３３】
検出後ＲＳＳＩ値平均回路９４には、受信タイミング検出回路７０’からは受信タイミング検出の通知信号３１０が、第２のＡ／Ｄ変換回路６０からはデジタル化されたＲＳＳＩ値（ＲＳＳＩ信号）３４０がそれぞれ供給される。
【０１３４】
検出後ＲＳＳＩ値平均回路９４は、受信タイミング検出の通知信号３１０が供給されてから所定時間Ｔの間における第２のＡ／Ｄ変換回路６０から供給されるデジタル化されたＲＳＳＩ値３４０の平均値を演算し、この演算したＲＳＳＩ値の平均値を検出後ＲＳＳＩ値平均Ｒ３として減算回路９５に供給する。
【０１３５】
減算回路９５には、検出後ＲＳＳＩ値平均回路９４から検出後ＲＳＳＩ値平均Ｒ３と、受信タイミング検出回路７０’からＲＳＳＩ平均値Ｒ０とが供給され、両者の差｜Ｒ３‐Ｒ０｜が演算される。
【０１３６】
ここで、この差｜Ｒ３‐Ｒ０｜は、受信タイミング検出回路７０’が受信タイミング検出した際の、その検出時を含む所定時間Ｔ’の間におけるＲＳＳＩ信号のＲＳＳＩ値の平均変化量（平均変化率）Ｒ５に対応する。そして、この減算回路９５により算出された差Ｒ５（＝｜Ｒ３‐Ｒ０｜）は、判定回路９２に供給される。
【０１３７】
そして、判定回路９２は、この減算回路９５により算出された差Ｒ５を、ミス検出閾値回路９３に予め設定されて保持されているミス検出閾値（検証閾値）ｐ５と比較することにより、その比較結果に基づいて、受信タイミング検出回路７０’から供給された受信タイミング検出の通知信号３１０のもととなった受信タイミング検出に誤りがあるか否かを判定する。
【０１３８】
判定回路９２は、この減算回路９５により算出された差Ｒ５がミス検出閾値ｐ５より高い場合は、バースト信号であると判定し、受信タイミング検出回路７０’からの受信タイミング検出の通知信号３１０の供給によって作動開始されている復調部４０による受信動作を継続する。
【０１３９】
また、判定回路９２は、この減算回路９５により算出された差Ｒ５がミス検出閾値ｐ５以下の場合は、バースト信号の検出ミスであると判定し、ミス検出の通知３５０を、図１０においては図示省略した制御回路８０に出力する構成になっている。
【０１４０】
本発明のバースト信号受信機は、以上説明したとおりであるが、各部の具体的な構成は、上記説明した実施の形態に示した具体的な構成に限定されるものではない。
【０１４１】
例えば、ミス検出判定回路９０において、その検出後ＲＳＳＩ値保持回路９１を、受信タイミング検出回路７０による受信タイミング検出時以降のＲＳＳＩ値３４０のピーク値を検出後ＲＳＳＩ値として保持しておく構成とし、判定回路９２及びミス検出閾値回路９３によって、受信タイミング検出時以降の所定時間内のサンプリング毎にこの検出後ＲＳＳＩ値に対して現在のＲＳＳＩ値３４０がどれだけ減少変化しているかを比較し、予め定められた所定値を超えて減少変化しているのが検出された場合は、受信ミスと判定する等の変形例も、本発明では可能である。
【０１４２】
また、第１〜第５の実施の形態においては、バースト信号のＲＳＳＩ値の立ち上がり間隔におけるサンプリングポイントが２点の例を示したが、サンプリングポイントの数はこれに限ることはない。例えば、サンプリングポイントを、３点、４点と増やした場合は、バースト信号の受信検出タイミングから、検出後ＲＳＳＩ値平均値を算出するまでのサンプリングポイントを遅延させることにより、本実施の形態と同様の効果が得られる。
【０１４３】
【発明の効果】
以上のように、本発明によれば、バースト信号受信機において、受信処理の停止や同期性検出のやり直し等の処理を速やかに行うことにより、誤認によるＲＳＳＩ検出信号発生から、誤認が判明するまで一定の時間と電力を消費することを防ぐことができる。これに伴い、バースト信号と誤認してしまうノイズのすぐ後に、本当のバースト信号を受信する場合、正しく復調を行うことができる。
【０１４４】
また、数ｄＢ程度の低Ｃ／Ｎで要求性能を満足するような伝送レートを含むシステムで、最小受信感度以下のレベルのノイズ信号も大きく増幅してしまう場合、ＡＧＣ回路以降では電力値による信号と雑音の区別が不可能となる。このため、相関値検出回路で波形の相関性から誤って判定し、受信動作が継続されることがある。このような場合を想定し、ＡＧＣ回路で増幅される以前の信号のＲＳＳＩ値を用いて誤認の判定を行う本手法を用いることで、波形の相関性による誤認を未然に防ぐことができる。
【図面の簡単な説明】
【図１】本発明のバースト信号受信機に係り、第１の実施の形態としてのＯＦＤＭシステム受信機の構成図である。
【図２】本実施の形態によるＯＦＤＭシステム受信機おける、ミス検出判定回路の構成図である。
【図３】本実施の形態における受信タイミング検出回路による受信タイミング検出と、ミス検出判定回路による受信タイミング検出の誤り判定との関係説明図である。
【図４】本実施の形態によるＯＦＤＭシステム受信機の制御手順を示したフローチャートである。
【図５】本発明のバースト信号受信機に係り、第２の実施の形態としてのＯＦＤＭシステム受信機の一部省略構成図である。
【図６】本発明のバースト信号受信機に係り、第３の実施の形態としてのバースト信号受信機としてのＯＦＤＭシステム受信機の一部省略構成図である。
【図７】本発明のバースト信号受信機に係り、第４の実施の形態としてのバースト信号受信機としてのＯＦＤＭシステム受信機の一部省略構成図である。
【図８】第４の実施の形態における受信タイミング検出回路によるバースト信号の受信タイミング検出の説明図である。
【図９】第４の実施の形態における受信タイミング検出回路による受信タイミング検出と、ミス検出判定回路による受信タイミング検出の誤り判定との関係説明図である。
【図１０】本発明のバースト信号受信機に係り、第５の実施の形態としてのバースト信号受信機としてのＯＦＤＭシステム受信機の一部省略構成図である。
【図１１】ＯＦＤＭシステムにおけるバースト信号の構成図である。
【図１２】従来のバースト信号受信機としてのＯＦＤＭシステム受信機の構成図である。
【図１３】バースト信号を実際に受信した場合におけるＲＳＳＩ信号のＲＳＳＩ値の変化を示した図である。
【図１４】ノイズによるＲＳＳＩ値の変化の一例を示した図である。
【符号の説明】
１  ＯＦＤＭシステム受信機
１０  ＢＰＦ回路
２０  ＡＧＣ回路
３０  第１のＡ／Ｄ変換回路
４０  復調部
４１  直交復調回路
４２  相関回路
４３  ガードインターバル除去回路
４４  ＦＦＴ回路
４５  復調回路
４６  相関値検出回路
４７  シンボルタイミング同期回路
５０  ＲＳＳＩ回路
６０  第２のＡ／Ｄ変換回路
７０，７０’  受信タイミング検出回路
８０  制御回路
９０  ミス検出判定回路
９１  検出後ＲＳＳＩ値保持回路
９２  判定回路
９３  ミス検出閾値回路
９４  検出後ＲＳＳＩ値平均回路
９５  減算回路
１０１  ＯＦＤＭシステム受信機
２００，２００’  バースト信号
２１０  プリアンブル部
２２０  データ部
【図１】
2004363723.tif 000003
【図２】
2004363723.tif 000004
【図３】
2004363723.tif 000005
【図４】
2004363723.tif 000006
【図５】
2004363723.tif 000007
【図６】
2004363723.tif 000008
【図７】
2004363723.tif 000009
【図８】
2004363723.tif 000010
【図９】
2004363723.tif 000011
【図１０】
2004363723.tif 000012
【図１１】
2004363723.tif 000013
【図１２】
2004363723.tif 000014
【図１３】
2004363723.tif 000015
【図１４】
2004363723.tif 000016